(57)【特許請求の範囲】
【請求項１】
ファスナーテープ（１２)の相対する側縁部（１３）がＵ字状に屈曲固定され、該側縁部（１３）の折り曲げ端縁に沿ってファスナーエレメント（１４）が取着された一対のファスナーストリンガー（１１）の前記ファスナーエレメント（１４）を係脱する隠しスライドファスナー（１０）用のスライダー（２０）であって、
下翼板（２３）と、
該下翼板（２３）の左右方向の側縁に沿って立設された左右の側壁部分（２４ａ、２４ｂ）と、
該左右の側壁部分（２４ａ、２４ｂ）の上端から互いに接近する方向に延設された左右の第１フランジ（２５ａ、２５ｂ）と、
前記下翼板（２３）の肩口寄り左右中央部から後口に向けて前記左右の第１フランジ（２５ａ、２５ｂ）間に配置された案内柱（３１）と、
該案内柱（３１）の上方から少なくとも前記左右の第１フランジ（２５ａ、２５ｂ）及び前記後口に向けて張り出した第２フランジ（３２）と、
引手（３８）を支持するための引手取付部（３３）と、
を備えてなり、
前記スライダー（２０）は、前記下翼板（２３）、前記左右の側壁部分（２４ａ、２４ｂ）、前記左右の第１フランジ（２５ａ、２５ｂ）を少なくとも有するスライダー胴部（２１）と、該スライダー胴部（２１）に係合され、前記第２フランジ（３２）を少なくとも有するスライダー上板部材（２２）と、によって構成され、
前記案内柱（３１）は、前記スライダー胴部（２１）と前記スライダー上板部材（２２）のいずれかに設けられると共に、
前記引手取付部（３３）は、前記スライダー胴部（２１）と前記スライダー上板部材（２２）のいずれかに設けられ、
前記第２フランジ（３２）、前記左右の第１フランジ（２５ａ、２５ｂ）、及び前記側壁部分（２４ａ、２４ｂ）の内側面（２４ｃ、２４ｄ）は、前記後口側から前記肩口の端部にかけて一様に拡幅する形状となっており、
前記第２フランジ（３２）の外側面（３２ａ）と、前記左右の第１フランジ（２５ａ、２５ｂ）の内側面（２５ｆ）とは略平行であり、前記外側面（３２ａ）と前記内側面（２５ｆ）の間には略一定間隔の隙間（Ｓ）が形成されることを特徴とする隠しスライドファスナー用スライダー。
【請求項２】
前記スライダー胴部（２１）は、前記下翼板（２３）の前記肩口寄り左右中央部に形成されたスライダー胴部側係合部（Ａ）を備え、
前記スライダー上板部材（２２）は、前記スライダー胴部側係合部（Ａ）と係合し、前記第２フランジ（３２）の下側に形成されたスライダー上板部材側係合部（Ｂ）を備えることを特徴とする請求項１に記載の隠しスライドファスナー用スライダー。
【請求項３】
前記スライダー上板部材（２２）は、該スライダー上板部材（２２）を前記スライダー胴部（２１）の前記後口側から前記肩口側に向けて相対的に移動させることにより、前記スライダー胴部側係合部（Ａ）と前記スライダー上板部材側係合部（Ｂ）が係合され、
前記スライダー胴部側係合部（Ａ）と前記スライダー上板部材側係合部（Ｂ）のいずれか一方には、係合後の前記スライダー上板部材（２２）がさらに肩口側へ移動するのを規制する当接壁（３９）が、一体的に形成されていることを特徴とする請求項２に記載の隠しスライドファスナー用スライダー。
【請求項４】
前記スライダー胴部側係合部（Ａ）と前記スライダー上板部材側係合部（Ｂ）のいずれか一方は、前記案内柱（３１）の前記肩口側又は後口側のいずれかに開口したアリ溝（３４）であり、他方は、前記アリ溝（３４）に対応した形状であって、起立部（２７）と、該起立部（２７）の上端から左右側に張り出したリブ（２８）とからなる断面略Ｔ字状の張り出し部（２６）であることを特徴とする請求項３に記載の隠しスライドファスナー用スライダー。
【請求項５】
前記アリ溝（３４）が開口する開口部（３５）と反対側は、前記当接壁（３９）によって閉鎖されていることを特徴とする請求項４に記載の隠しスライドファスナー用スライダー。
【請求項６】
前記案内柱（３１）は、前記スライダー上板部材（２２）に設けられ、
前記スライダー上板部材側係合部（Ｂ）は、前記案内柱（３１）の肩口側が開口した前記アリ溝（３４）、及び前記アリ溝（３４）の前記開口部（３５）を封鎖するように変形可能な一対の脚部（３６）を備え、
前記スライダー胴部側係合部（Ａ）は、前記下翼板（２３）から立設された起立部（２７）、及び前記起立部（２７）の上端から前記左右の第１フランジ（２５ａ、２５ｂ）に向けて外側に張り出したリブ（２８）からなる断面略Ｔ字型の張り出し部（２６）であり、
前記肩口側から前記アリ溝（３４）に前記張り出し部（２６）を挿入した後、前記一対の脚部（３６）を変形させて前記開口部（３５）を封鎖することを特徴とする請求項５に記載の隠しスライドファスナー用スライダー。
【請求項７】
前記第２フランジ（３２）は、その幅（Ｗ１）が前記後口から前記肩口に向けて連続して増大していることを特徴とする請求項１から６のいずれかに記載の隠しスライドファスナー用スライダー。
【請求項８】
前記左右の側壁部分（２４ａ、２４ｂ）は、前記肩口側の内側面（２４ｃ、２４ｄ）間の幅（Ｗ２）が前記後口側から前記肩口に向けて連続して増大していることを特徴とする請求項１から７のいずれかに記載の隠しスライドファスナー用スライダー。
【請求項９】
前記スライダー（２０）の摺動方向に直交する左右方向中心線（ＣＬ）から前記第２フランジ（３２）の最外端（３２ｂ）までの距離（Ｌ２）は、前記中心線（ＣＬ）から前記後口側における前記側壁部分（２４ａ、２４ｂ）の内側面（２４ｃ、２４ｄ）までの距離（Ｌ１）に対して、０．８倍以上であることを特徴とする請求項１から８のいずれかに記載の隠しスライドファスナー用スライダー。
【請求項１０】
前記第２フランジ（３２）の前記最外端（３２ｂ）は、前記後口側の前記側壁部分（２４ａ、２４ｂ）の内側面（２４ｃ、２４ｄ）より、左右に張り出していることを特徴とする請求項９記載の隠しスライドファスナー用スライダー。
【請求項１１】
前記スライダー上板部材（２２）の前記肩口側の端面（３７）は、下方に向かうに従って次第に前記肩口から前記後口に向かって傾斜する傾斜面を有し、
前記傾斜面は前記第１フランジ（２５ａ、２５ｂ）の上面より上方まで延設されることを特徴とする請求項１から１０のいずれかに記載の隠しスライドファスナー用スライダー。
【発明の詳細な説明】
【技術分野】
【０００１】
本発明は、隠しスライドファスナー用スライダーに関し、より詳細には、スライドファスナーの閉鎖時において、強い横引き力が作用しても、円滑なスライダー操作を可能にする隠しスライドファスナー用スライダーに関する。
【背景技術】
【０００２】
この種の隠しスライドファスナーは、女性用の被服類に多く使われていたが、近年は例えば、自動車や列車の座席シートなどの他分野にも進出するようになった。座席シートは、予めフレームに一体形成されたクッション体に、シートカバーが被覆されてなる。このとき、シートカバーの寸法は、クッション体の大径寸法よりも小さくされており、クッション体を圧縮状態で被覆して外観形状に生じる緩みや変形などの発生を極力抑制するようにしている。また、着座時の人体などの荷重分布にも容易に対応するように、弾性変形しても座席から離れると確実に原形に戻るようにして形崩れを防いでいる。【０００３】
シートカバーは、通常、天然皮革や合成皮革、或いは様々な構造をもつ編織物などからなる表皮層と、ポリウレタン発泡体シートなどからなる薄い弾性中間層と、極めて細い糸条を使って編成又は織成して得られる薄手の編織物などからなる裏面基布層とが、ラミネート加工などによって積層一体化されたシートから構成される。通常は、これらのシートを座席シートの形状に合わせて複数枚からなるシート片に裁断し、これらのシート片を組み合わせて立体的に縫製してシートカバーを製作する。しかしながら、シートカバーの全体を縫製により製作すると、複雑な外観形状をもつ座席のクッション体にシートカバーを被覆できない場合が多発する。そこで従来は、予め未縫製部分を作っておき、クッション体に被覆した後、この未縫製部分を手縫いにて縫製していた。【０００４】
しかしながら、この手縫いによる縫製では、縫製作業員の技能の差により完成品に品質や縫製時間に差が生じやすい。そこで、近年では手縫いを排除すべく、シートカバーの縫製部の一部、例えば玉縁部に沿ってスライドファスナー、特にスライダー本体が外側に表出しない隠しスライドファスナーが使われることが多くなった。その結果、全ての縫製をミシンによりできるようになり、技能の差に基づく従来の不具合が大幅になくなり生産効率も一段と向上した。【０００５】
従来の隠しスライドファスナーとしては、例えば、特許文献１にも開示されているように、スライダー胴部の下翼板の左右側縁から立設された左右の側壁部分と、これら側壁部分の上端から互いに接近する方向に延設された左右の第１フランジと、下翼板の摺動方向の一端中央部に立設された案内柱と、案内柱の外周に沿って外側に張り出した第２フランジと、第２フランジの上面に設けられた引手取付柱と、を備えたスライダーが使用される。【０００６】
そして、第１フランジと案内柱及び第２フランジにより形成される空間が噛合エレメント列の案内通路となり、第１フランジと第２フランジとの間に形成される隙間がファスナーテープの案内隙間となる。一方、かかる構成を備えたスライダーが挿通されるファスナーストリンガーは、噛合頭部を内側にして多数の噛合エレメントが２本一対のファスナーテープの対向側縁に沿って、それぞれ縫製などにより取り付けられている。こうして得られる一対のファスナーストリンガーの各エレメント取付縁部は、噛合エレメントの噛合頭部が外側に突出するようにＵ字状に折り曲げられ、熱セットなどによりその折り曲げ形状が固定される。こうした構造をもつ一対のファスナーストリンガーを、上記スライダーの肩口からエレメントの噛合頭部を向かい合わせるとともにファスナーテープの折返し部分を第１及び第２フランジ間のテープ案内隙間から外側に延出させてスライダーを挿通することにより、隠しスライドファスナーとなる。【０００７】
ここで、隠しスライドファスナーが、上述のような自動車などの座席シートのシートカバーに適用された場合、シートカバーはクッション体の外形寸法より小さく形成されているため、スライダーの近傍のファスナーストリンガーに強力な横引き力が加わり、この強力な横引き力によって噛合エレメントを立ち上がらせる。この第２フランジの肩口付近の部分にて横引き力を受けながら肩口へと導入される各エレメントは、ファスナーテープのテープ面に対して略直角となるまで立ち上がる。【０００８】
このため、特許文献１に記載の隠しスライドファスナー用スライダーでは、下翼板に対する第２フランジの肩口側のテーパ面の上端稜線部の高さを後口のそれよりも高く設定することで、エレメントが僅かな傾倒姿勢で下翼板上に載っても第２フランジと干渉することなく、第２フランジのテーパ面に案内されてエレメント案内通路に導入される。そして、この導入の間に、テーパ面による案内と、先行エレメント及びファスナーテープの引張力によるエレメントを傾倒させようとする力との総合的な影響を受けて、エレメント連結部が第２フランジの下面に潜ろうとする姿勢へと徐々に傾け、エレメントの噛合頭部が下翼板の第１フランジと第２フランジとの間に挟まれることを防止して、スライダーの円滑な摺動を図っている。
【先行技術文献】
【特許文献】
【０００９】
【特許文献１】日本国特開２００７−５４１７６号公報
【発明の概要】
【発明が解決しようとする課題】
【００１０】
ところで、下翼板、左右の側壁部分、左右の第１フランジ、案内柱、第２フランジ、及び引手取付柱が一体に形成されるスライダー胴体を備えた、特許文献１に記載の隠しスライドファスナー用スライダーでは、スライダーを製造する際の金型の制約上、第２フランジの幅を大きく形成することができず、第２フランジの外側面は、後口側から肩口側に向けてテーパ状に広がった後、肩口側先端部分にて摺動方向に沿って直線状に形成されている。また、これに伴って、第１フランジと第２フランジとの間に形成されるファスナーテープの案内隙間も、後口側から肩口側に向けてテーパ状に広がった後、肩口側先端部分にて摺動方向に沿って直線状に形成される。このため、強い横引き力が作用したファスナーストリンガーをスライダー内に挿通させる際に、依然としてスライダーの摺動抵抗が大きくなり、シートカバーを手繰り寄せながらファスナーを閉じるなどの必要があり、作業効率を向上させるためさらなる改善が望まれていた。【００１１】
本発明は、前述した課題に鑑みてなされたものであり、その目的は、座席シートなどのシートカバーに適用されてスライドファスナーの閉鎖時に強力な横引き力が加わっても、円滑なスライダーの摺動操作を可能にする隠しスライドファスナー用スライダーを提供することにある。
【課題を解決するための手段】
【００１２】
本発明の上記目的は、下記の構成により達成される。
（１）  ファスナーテープの相対する側縁部がＵ字状に屈曲固定され、該側縁部の折り曲げ端縁に沿ってファスナーエレメントが取着された一対のファスナーストリンガーの前記ファスナーエレメントを係脱する隠しスライドファスナー用のスライダーであって、
下翼板と、
該下翼板の左右方向の側縁に沿って立設された左右の側壁部分と、
該左右の側壁部分の上端から互いに接近する方向に延設された左右の第１フランジと、
前記下翼板の肩口寄り左右中央部から後口に向けて前記左右の第１フランジ間に配置された案内柱と、
該案内柱の上方から少なくとも前記左右の第１フランジ及び前記後口に向けて張り出した第２フランジと、
引手を支持するための引手取付部と、
を備えてなり、
前記スライダーは、前記下翼板、前記左右の側壁部分、前記左右の第１フランジを少なくとも有するスライダー胴部と、該スライダー胴部に係合され、前記第２フランジを少なくとも有するスライダー上板部材と、によって構成され、
前記案内柱は、前記スライダー胴部と前記スライダー上板部材のいずれかに設けられると共に、
前記引手取付部は、前記スライダー胴部と前記スライダー上板部材のいずれかに設けられ、
前記第２フランジ、前記左右の第１フランジ、及び前記側壁部分の内側面は、前記後口側から前記肩口の端部にかけて一様に拡幅する形状となっており、
前記第２フランジの外側面と、前記左右の第１フランジの内側面とは略平行であり、前記外側面と前記内側面の間には略一定間隔の隙間が形成されることを特徴とする隠しスライドファスナー用スライダー。
（２）  前記スライダー胴部は、前記下翼板の前記肩口寄り左右中央部に形成されたスライダー胴部側係合部を備え、
前記スライダー上板部材は、前記スライダー胴部側係合部と係合し、前記第２フランジの下側に形成されたスライダー上板部材側係合部を備えることを特徴とする（１）に記載の隠しスライドファスナー用スライダー。
（３）  前記スライダー上板部材は、該スライダー上板部材を前記スライダー胴部の前記後口側から前記肩口側に向けて相対的に移動させることにより、前記スライダー胴部側係合部と前記スライダー上板部材側係合部が係合され、
前記スライダー胴部側係合部と前記スライダー上板部材側係合部のいずれか一方には、係合後の前記スライダー上板部材がさらに肩口側へ移動するのを規制する当接壁が、一体的に形成されていることを特徴とする（２）に記載の隠しスライドファスナー用スライダー。
（４）  前記スライダー胴部側係合部と前記スライダー上板部材側係合部のいずれか一方は、前記案内柱の前記肩口側又は後口側のいずれかに開口したアリ溝であり、他方は、前記アリ溝に対応した形状であって、起立部と、該起立部の上端から左右側に張り出したリブとからなる断面略Ｔ字状の張り出し部であることを特徴とする（３）に記載の隠しスライドファスナー用スライダー。
（５）  前記アリ溝が開口する開口部と反対側は、前記当接壁によって閉鎖されていることを特徴とする（４）に記載の隠しスライドファスナー用スライダー。
（６）  前記案内柱は、前記スライダー上板部材に設けられ、
前記スライダー上板部材側係合部は、前記案内柱の肩口側が開口した前記アリ溝、及び前記アリ溝の前記開口部を封鎖するように変形可能な一対の脚部を備え、
前記スライダー胴部側係合部は、前記下翼板から立設された起立部、及び前記起立部の上端から前記左右の第１フランジに向けて外側に張り出したリブからなる断面略Ｔ字型の張り出し部であり、
前記肩口側から前記アリ溝に前記張り出し部を挿入した後、前記一対の脚部を変形させて前記開口部を封鎖することを特徴とする（５）に記載の隠しスライドファスナー用スライダー。
（７）  前記第２フランジは、その幅が前記後口から前記肩口に向けて連続して増大していることを特徴とする（１）から（６）のいずれかに記載の隠しスライドファスナー用スライダー。
（８）  前記左右の側壁部分は、前記肩口側の内側面間の幅が前記後口側から前記肩口に向けて連続して増大していることを特徴とする（１）から（７）のいずれかに記載の隠しスライドファスナー用スライダー。
（９）  前記スライダーの摺動方向に直交する左右方向中心線から前記第２フランジの最外端までの距離は、前記中心線から前記後口側における前記側壁部分の内側面までの距離に対して、０．８倍以上であることを特徴とする（１）から（８）のいずれかに記載の隠しスライドファスナー用スライダー。
（１０）  前記第２フランジの前記最外端は、前記後口側の前記側壁部分の内側面より、左右に張り出していることを特徴とする（９）記載の隠しスライドファスナー用スライダー。
（１１）  前記スライダー上板部材の前記肩口側の端面は、下方に向かうに従って次第に前記肩口から前記後口に向かって傾斜する傾斜面を有し、
前記傾斜面は前記第１フランジの上面より上方まで延設されることを特徴とする（１）から（１０）のいずれかに記載の隠しスライドファスナー用スライダー。
【発明の効果】
【００１３】
本発明の隠しスライドファスナー用スライダーによれば、下翼板、側壁部分、および第１フランジを少なくとも有するスライダー胴部と、第２フランジを少なくとも有し、スライダー胴部に係合されるスライダー上板部材との、２部品から構成されるので、第２フランジの形状は金型による制約を受けることがない。これにより、ファスナーエレメントを、理想的な形状の第２フランジでエレメント案内通路に導入させ、更に後口側に向けて円滑に移動させながら噛合させることができ、スライドファスナーの閉鎖時に強力な横引き力が加わっても、スライダーを円滑に摺動操作することができる。また、第２フランジ、左右の第１フランジ、及び側壁部分の内側面は、後口側から肩口の端部にかけて一様に拡幅する形状となっており、第２フランジの外側面と、左右の第１フランジの内側面とは略平行であり、外側面と内側面の間には略一定間隔の隙間が形成されるため、スライダーを摺動操作、特に閉鎖時の動作をより一層円滑に行うことができる。
【００１４】
また、本発明の隠しスライドファスナー用スライダーによれば、スライダー胴部は、下翼板の肩口寄り左右中央部に形成されたスライダー胴部側係合部を備え、スライダー上板部材は、スライダー胴部側係合部と係合し、第２フランジの下側に形成されたスライダー上板部材側係合部を備えるので、スライダー胴部側係合部をスライダー上板部材側係合部に係合させることにより、スライダー胴部とスライダー上板部材とを実質的に一体化させて、隠しスライドファスナー用スライダーを２部品によって形成することができる。【００１５】
また、スライダー胴部側係合部とスライダー上板部材側係合部は、スライダー上板部材をスライダー胴部の後口側から肩口側に向けて相対的に移動させることにより係合されるので、この係合方向は、一対のファスナーストリンガーのファスナーエレメントを噛合させるスライダーの摺動方向と一致しており、ファスナーエレメントを噛合させる際、引手取付部が設けられたスライダー上板部材に比較的大きな操作力が作用しても、スライダー胴部側係合部とスライダー上板部材側係合部との係合が解除されるのを防止することができる。さらに、スライダー胴部側係合部とスライダー上板部材側係合部のいずれか一方には、係合後のスライダー上板部材がさらに肩口側へ移動するのを規制する当接壁が、一体的に形成されているので、スライダー上板部材が係合後に移動するのを確実に防止することができる。【００１６】
また、本発明の隠しスライドファスナー用スライダーによれば、スライダー胴部側係合部とスライダー上板部材側係合部のいずれか一方は、案内柱の肩口側又は後口側のいずれかに開口したアリ溝であり、他方は、アリ溝に対応した形状であって、起立部と、起立部の上端から左右側に張り出したリブとからなる断面略Ｔ字状の張り出し部であるので、張り出し部をアリ溝に挿入（圧入）することで、スライダー上板部材がスライダー胴部から上側に外れるのを確実に防止することができる。【００１７】
さらに、アリ溝が開口する開口部と反対側は、当接壁によって閉鎖されているので、張り出し部をアリ溝に挿入するだけで、スライダー上板部材が当接壁に当接して位置決めされると共に、係合後さらに移動するのを防止することができる。【００１８】
加えて、案内柱は、スライダー上板部材に設けられ、スライダー上板部材側係合部は、案内柱の肩口側が開口したアリ溝、及びアリ溝の開口部を封鎖するように変形可能な一対の脚部を備え、スライダー胴部側係合部は、下翼板から立設された起立部、及び起立部の上端から左右の第１フランジに向けて外側に張り出したリブからなる断面略Ｔ字型の張り出し部であり、肩口側からアリ溝に前記張り出し部を挿入した後、一対の脚部を変形させて開口部を封鎖するので、スライダー胴部とスライダー上板部材とを確実に一体化することができる。【００１９】
更に、本発明の隠しスライドファスナー用スライダーによれば、第２フランジの幅が、後口から肩口に向けて連続して増大するように形成されているので、ファスナーエレメントを、第２フランジで案内しながら一定の力で引き込むことができ、スライダーを円滑に摺動操作することができる。また、幅が連続して増大する第２フランジの形状は、第２フランジを備えるスライダー上板部材を、スライダー胴部と別体として形成することによって可能となる。【００２０】
更にまた、本発明の隠しスライドファスナー用スライダーによれば、左右の側壁部分は、肩口側の内側面間の幅が、後口側から肩口に向けて連続して増大するので、同じく、幅が後口から肩口に向けて連続して増大する第２フランジと対向配置して、第２フランジの外側面と側壁部分の内側面との間隔を略一定間隔とすることができ、これにより、ファスナーエレメントを滑らかにエレメント案内通路に案内してスライダーを円滑に摺動操作することができる。【００２１】
また、本発明の隠しスライドファスナー用スライダーによれば、左右方向中心線から第２フランジの最外端までの距離は、中心線からスライダー胴部の後口側における側壁部分の内側面までの距離に対して、０．８倍以上であるので、従来構造のスライダー（一体成型スライダー）では金型の制約上から成形困難であった第２フランジが大きな形状のスライダーが得られる。これにより、ファスナーテープに対して略直角に立ち上がった姿勢のファスナーエレメントを、第２フランジで案内して一定の比較的弱い力で引き込むことができ、スライドファスナーの閉鎖時に強力な横引き力が加わっても、スライダーを円滑に摺動操作することができる。【００２２】
尚、第２フランジの最外端は、後口側の側壁部分の内側面より左右に張り出して形成されることが好ましい。即ち、中心線から第２フランジの最外端までの距離は、中心線からスライダー胴部の後口側における側壁部分の内側面までの距離に対して、１以上とするのが好ましい。また、中心線から第２フランジの最外端までの距離を、中心線からスライダー胴部の後口側における側壁部分の内側面までの距離に対して０．８倍以上としたのは、理論上では、該距離の比が１以下であれば一体成型される金型でも型抜き可能であるものの、スライドコアが細くなりすぎて強度が保てず、実用的な金型を製作することが困難であることによる。このため、一体成型において金型の製作が困難な、距離の比が０．８倍以上である場合に、２部品で構成する本発明のスライダーが有効である。【００２３】
更に、本発明の隠しスライドファスナー用スライダーによれば、スライダー上板部材の肩口側の端面は、第１フランジの上面より上方まで延設され、且つ下方に向かうに従って次第に肩口側から後口側に向かって傾斜する傾斜面となっているので、強力な横引き力の作用によりファスナーテープに対してファスナーエレメントが略直角に立ち上がった場合でも、傾斜面で案内して傾倒させながらエレメント案内通路に導入することができ、スライドファスナーの閉鎖時に強力な横引き力が加わっても、スライダーを円滑に摺動操作することができる。
【図面の簡単な説明】
【００２４】
【図１】本発明の隠しスライドファスナー用スライダーが適用された座席シートの斜視図である。
【図２】本発明の第１実施形態に係る隠しスライドファスナー用スライダーの斜視図である。
【図３】図２に示す隠しスライドファスナー用スライダーの分解斜視図である。
【図４】図３に示すスライダー上板部材を中心線で切断した状態を、斜め下方から見た斜視図である。
【図５】（ａ）は図３に示すスライダー胴部の平面図、（ｂ）はＶ−Ｖ線での断面図、（ｃ）は図３に示すスライダー上板部材の平面図、（ｄ）はＶ´−Ｖ´線での断面図である。
【図６】スライダー胴部にスライダー上板部材を組み付ける組付け手順を示す断面図である。
【図７】図６におけるＶＩＩ-ＶＩＩ線での断面図である。
【図８】第１フランジと第２フランジとの位置関係を示す隠しスライドファスナー用スライダーの部分断面平面図である。
【図９】噛合するファスナーエレメントの挙動を説明する説明図である。
【図１０】肩口側から見た隠しスライドファスナー用スライダーの側面図である。
【図１１】本発明の第２実施形態に係る隠しスライドファスナー用スライダーの分解斜視図である。
【図１２】（ａ）及び（ｂ）は、図１１に示す隠しスライドファスナー用スライダーの組付け手順を示す断面図である。
【図１３】（ａ）は本発明の第３実施形態に係る隠しスライドファスナー用スライダーの第２変形例の分解斜視図、（ｂ）は組付け後の隠しスライドファスナー用スライダーの斜視図である。
【図１４】（ａ）は本発明の第４実施形態に係る隠しスライドファスナー用スライダーの分解断面図、（ｂ）は組付け後の隠しスライドファスナー用スライダーの断面図である。
【図１５】本発明の変形例に係る隠しスライドファスナー用スライダーを示す断面図である。
【図１６】本発明の他の変形例に係る隠しスライドファスナー用スライダーを示す断面図である。
【発明を実施するための形態】
【００２５】
以下、本発明に係る隠しスライドファスナー用スライダーの各実施形態を図面を参照して詳細に説明する。
【００２６】
（第１実施形態）
図１は本発明の隠しスライドファスナー用スライダーが適用された座席シートの斜視図であり、座席シート１は、不図示のフレームに一体形成されたクッション体に、シートカバー２が被覆されてなり、シートカバー２の一部、例えば玉縁部３に沿って隠しスライドファスナー１０が使用されている。隠しスライドファスナー１０は、ファスナーエレメントが外側に表出することなくクッション体をシートカバー２で被覆することができ、外観性に優れる座席シート１が得られる。
【００２７】
隠しスライドファスナー１０は、図９、および図１０も参照して、一対のファスナーストリンガー１１と、スライダー２０とを備える。ファスナーストリンガー１１は、例えば、ポリアミドやポリエステルなどの合成樹脂製モノフィラメントによってコイル状に形成されたファスナーエレメント１４の内部に芯紐が挿通され、二重環縫いされる縫い糸によってファスナーテープ１２のエレメント取付縁部１３に沿って縫い付けられており、エレメント取付縁部１３側が略Ｕ字状に折り返され、熱セットなどによって折曲げ形状が固定されているものや、芯紐と縫い糸を使用せず、ファスナーテープに一体的に織り込んだものが利用される。
【００２８】
隠しスライドファスナー１０は、ファスナーエレメント１４の噛合頭部を向かい合わせた状態のファスナーストリンガー１１を、スライダー２０の肩口から挿入し、ファスナーテープ１２の折返し部分を後述する第１フランジ２５ａ、２５ｂ及び第２フランジ３２間の隙間Ｓから外側に延出させている。そして、スライダー２０を噛合方向（図９においては上方向）に移動させることにより、左右のファスナーエレメント１４が噛合した状態（閉鎖状態）でスライダー２０の後口から導出する。
【００２９】
図２、図３および図５に示すように、スライダー２０は、スライダー胴部２１と、スライダー上板部材２２とを備える。スライダー胴部２１は、平面視略台形板状の下翼板２３と、下翼板２３の左右方向（スライダー２０の摺動方向と直交方向であってファスナーテープ幅方向）の側縁に沿って立設された左右の側壁部分２４ａ、２４ｂと、左右の側壁部分２４ａ、２４ｂの上端から互いに接近する方向に延設された左右の第１フランジ２５ａ、２５ｂと、下翼板２３の肩口寄り左右中央部から立設された断面略Ｔ字型の張り出し部２６とを備える。
【００３０】
ここで、略台形板状の下翼板２３の幅が広い側であってファスナーエレメントが分離して出てくる開口を肩口といい、反対側であってファスナーエレメントが噛合して出てくる開口を後口という。また、肩口と後口とを繋ぐ方向がスライダー２０の摺動方向となる。
【００３１】
下翼板２３は、前端縁２３ａが略円弧状に形成されている。また、摺動方向に直交する左右方向の幅は、前端縁２３ａから全長の略２/３の位置まで漸次縮幅された後、後口側端縁２３ｂまでは略同一幅で形成されている。
【００３２】
従って、略台形板状の下翼板２３の両側縁に沿って立設される一対の側壁部分２４ａ、２４ｂ、および第１フランジ２５ａ、２５ｂの左右方向の幅は、前端縁２３ａから全長の略２/３の位置までは次第に縮幅された後、屈曲して後口側端縁２３ｂまで略同一幅となっており、中心線に対して鏡面対称の形状に形成されている。換言すれば、左右の側壁部分２４ａ、２４ｂの内側面２４ｃ、２４ｄ間の幅Ｗ２は（図９参照）、後口側から肩口側に向けて略一定幅で形成された後、連続して増大している。
【００３３】
第１フランジ２５ａ、２５ｂには、その上面に内側に向かうに従って次第に低くなるテーパー部２５ｃが全長に亘って形成されている（図１０参照）。また、第１フランジ２５ａ、２５ｂの下面は、下翼板２３の上面と平行に形成されている。第１フランジ２５ａ、２５ｂの肩口側先端は、下翼板２３の前端縁２３ａより前方に延出し、内側角部はＲ面取りされて湾曲部２５ｄが形成されている。第１フランジ２５ａ、２５ｂの肩口側先端の前端縁２３ａからの延出長さは、ファスナーエレメント１４の１個分の寸法以上であることが好ましい。また、第１フランジ２５ａ、２５ｂの肩口側先端は、上面が肉盛りされた肉厚部２５ｅとなっている。
前述したとおりスライダー２０は、スライダー胴部２１とスライダー上板部材２２とからなり、スライダー胴部２１に形成されたスライダー胴部側係合部Ａと、スライダー上板部材２２に形成されたスライダー上板部材側係合部Ｂとが係合することによって、スライダー２０が構成される（図３参照）。
【００３４】
第１実施形態では、スライダー胴部側係合部Ａは、下翼板２３の肩口寄り左右中央部から立設する細幅板状の起立部２７と、起立部２７の上端から左右方向および後口側に向けて張り出して形成されたリブ２８とからなる張り出し部２６である。リブ２８は起立部２７より後口側に向けて張り出した部分を左右方向に幅狭とした凸部２８ａを有し、また、肩口側の側面上方に後述するスライダー上板部材２２の端面３７と面一となるようにテーパー面２８ｂを有する。なお、張り出し部２６は、左右方向だけにあってもよく、張り出し部２６の形状は、後述するアリ溝３４と係合したとき、下翼板２３から第２フランジ３２の方向にはずれない形状であれば良い。
【００３５】
図４も参照して、スライダー上板部材２２は、案内柱３１と、案内柱３１の上方の外周から左右の第１フランジ２５ａ、２５ｂ側、および後口側に向けて張り出して形成された第２フランジ３２と、第２フランジ３２の上面に一端が片持ち状に固定されて摺動方向に延在する門型の引手取付部３３と、を備える。引手取付部３３は、引手３８を挿入した後に他端を加締めることで、引手３８が回動自在に支持される（図６、図１０参照）。
【００３６】
案内柱３１は、後口側が尖った断面略楕円柱状に形成されており、また、案内柱３１と第２フランジ３２の左右方向中間部には、後口側と反対側の端部、つまり、肩口側に開口部３５を有する断面略Ｔ字型のアリ溝３４が設けられている。また、アリ溝３４は、開口部３５より後口側においてリブ２８の凸部２８ａと上下面、側面、及び底面が対向する凹部３４ａを有する。即ち、アリ溝３４は、スライダー胴部側係合部Ａである張り出し部２６と同じ形状に形成されており、張り出し部２６と係合するスライダー上板部材側係合部Ｂとなる。また、アリ溝３４を形成する左右両壁の開口部側端部には、案内柱３１から肩口側に延設された一対の脚部３６が設けられている。一対の脚部３６は、アリ溝３４の開口部３５を封鎖するように変形可能である。
また、アリ溝３４の開口部３５と反対側は、第２フランジ３２の裏面から立設し、且つアリ溝３４を形成する左右側壁と一体的に形成された当接壁３９、及びアリ溝３４の凹部３４ａと案内柱３１の底部との間に立設し、アリ溝３４を形成する左右側壁と一体的に形成された当接壁３９によって閉鎖されている。
【００３７】
案内柱３１の外周から外側に張り出して形成された第２フランジ３２は、平面視において、肩口側が底辺となる略二等辺三角形の形状に形成されている。即ち、第２フランジ３２は、左右方向の幅Ｗ１が、後口側から肩口側に向けて連続して増大している（図５（ｃ）参照）。
【００３８】
スライダー上板部材２２の肩口側の端面３７は、第２フランジ３２の上面、換言すれば、第１フランジ３２の上面より更に上方まで延設されている。端面３７は、下方に向かうに従って次第に肩口側から後口側に向かって傾斜する傾斜面となっている。
【００３９】
また、スライダー上板部材２２の肩口側の端面３７は、スライダーの摺動方向において、下翼板２３の前端縁２３ａと、第１フランジ２５ａ，２５ｂの肩口側先端との間に位置している（図８参照）。
【００４０】
このようなスライダー胴部２１とスライダー上板部材２２とは、スライダー上板部材２２のアリ溝３４（スライダー上板部材側係合部Ｂ）に、スライダー胴部２１の張り出し部２６（スライダー胴部側係合部Ａ）を係合させることにより、一体に組み付けられる。
【００４１】
具体的には、図６および図７に示すように、スライダー上板部材２２を、スライダー胴部２１の左右の第１フランジ２５ａ、２５ｂ間の下翼板２３上であって、張り出し部２６よりも後口側から肩口方向（図６中右方向）に相対移動させて、リブ２８の凸部２８ａに凹部３４ａを嵌合させ、アリ溝３４（スライダー上板部材側係合部Ｂ）に張り出し部２６（スライダー胴部側係合部Ａ）を圧入する。次いで、一対の脚部３６を図７において破線で示す形状から実線で示す形状に塑性変形させて、アリ溝３４の開口部３５を封鎖する。これにより、張り出し部２６は、アリ溝３４から離脱することが防止されて、スライダー胴部２１とスライダー上板部材２２とが一体的に固定される。
ここで、張り出し部２６をアリ溝３４に圧入することが好ましく、スライダー胴部２１とスライダー上板部材２２との固定力を高め、ガタツキを防止している。しかし、本発明は、必ずしも圧入に限定されず、例えば、脚部３６などその他の固定方向で強固に固定することでガタツキを防止してもよい。
【００４２】
図８に示すように、スライダー胴部２１とスライダー上板部材２２とが一体的に係合したとき、第２フランジ３２の外側面３２ａと、左右の第１フランジ２５ａ、２５ｂの内側面２５ｆとは略平行であり、外側面３２ａと内側面２５ｆ間には略一定間隔の隙間Ｓが形成される。また、スライダー２０の摺動方向に直交する左右方向中心線ＣＬから第２フランジ３２の最外端３２ｂまでの距離Ｌ２と、中心線ＣＬから後口側における側壁部分２４ａ、２４ｂの内側面２４ｃ、２４ｄまでの距離Ｌ１との比（Ｌ２／Ｌ１）は、０．８以上に設定されている（Ｌ２／Ｌ１≧０．８）。
【００４３】
スライダー胴部２１と第２フランジ３２（スライダー上板部材２２）が一体成型される従来のスライダーでは、金型構造から受ける制約によってＬ２／Ｌ１≧０．８とすることは実質上困難である。しかし、本発明のように、スライダー２０をスライダー胴部２１とスライダー上板部材２２との２部品で構成し、スライダー胴部２１と第２フランジ３２とを別体で形成することにより、金型の制約が解消されて第２フランジ３２の形状を任意形状に成形することが可能となる。
【００４４】
ファスナーエレメント１４の挿入性、スライダー２０の摺動性を考慮すると、該比（Ｌ２／Ｌ１）は、１以上とするのが好ましく、図８に示す実施形態では、第２フランジ３２の最外端３２ｂは、後口側の側壁部分２４ａ、２４ｂの内側面２４ｃ、２４ｄより、左右に張り出して形成されている。また、第２フランジ３２、第１フランジ２５ａ、２５ｂ、および側壁部分２４ａ、２４ｂの内側面２４ｃ、２４ｄは、後口側（後口寄りの中間部分）から肩口に向けて一様に拡幅する形状となっており、好ましくは、外側面３２ａ、内側面２５ｆ共に直線で構成されていることにより、スライダー２０の摺動操作、特に閉鎖時の動作をスムーズに行える。
【００４５】
また、左右方向中心線ＣＬから第２フランジ３２の最外端３２ｂまでの距離Ｌ２は、最外端３２ｂの摺動方向における左右方向中心線ＣＬから左右の第１フランジ２５ａ、２５ｂの内側面２５ｆまでの距離から、ファスナーテープが通過するために必要な隙間Ｓを除いた寸法以下に設定されている。
【００４６】
図９に示すように、このような形状のスライダー２０に、一対のファスナーストリンガー１１を挿入し、ファスナーテープ１２の折返し部分を第１フランジ２５ａ、２５ｂと第２フランジ３２間の隙間Ｓから外側に延出させて隠しスライドファスナー１０とする。
【００４７】
本実施形態のスライダー２０では、下翼板２３と、一対の側壁部分２４ａ、２４ｂと、案内柱３１と、第１フランジ２５ａ、２５ｂと、第２フランジ３２とにより形成される平面視で略Ｙ字状の空間が、ファスナーストリンガー１１に取り付けられたファスナーエレメント１４を通すエレメント案内通路４０となる。
【００４８】
本実施形態の作用を図９および図１０を参照して説明する。例えば、隠しスライドファスナー１０を自動車などの座席シート１のシートカバー２に適用した場合（図１参照）、隠しスライドファスナー１０は、左右のファスナーストリンガー１１を外側に強く引っ張る横引き力を受けて大きく開いた状態となっている。このとき、スライダー２０のエレメント案内通路４０に挿入される前のファスナーエレメント１４は、ファスナーテープ１２に対して略直角に立ち上がった姿勢となる場合がある。
【００４９】
このような状態の隠しスライドファスナー１０を閉鎖するため、スライダー２０を噛合方向（図９において上方）に摺動させると、立ち上がった姿勢のファスナーエレメント１４およびファスナーテープ１２は、先ず、スライダー胴部２１の第１フランジ２５ａ、２５ｂの肩口側先端に延出する肉厚部２５ｅに接触する。図１０に示すように、肉厚部２５ｅに接触した左右のファスナーエレメント１４は、第１フランジ２５ａ、２５ｂに形成されたテーパー部２５ｃ、および湾曲部２５ｄによって滑らかに案内され、略直角に立ち上がった姿勢から徐々に傾倒していく。
【００５０】
また、肉厚部２５ｅに接触したときのファスナーテープ１２に作用する接触圧は、肉厚部２５ｅの厚さが厚い（即ち、接触面積が大きい）ことによって接触圧が低くなり、スライダー２０の摺動抵抗が低減すると共に、ファスナーテープ１２の裂断などが防止される。スライダー２０の摺動抵抗低減には、テーパー部２５ｃ、および湾曲部２５ｄも寄与する。
【００５１】
更にスライダー２０を噛合方向に摺動させると、ある程度傾倒したファスナーエレメント１４が、スライダー上板部材２２の肩口側の端面３７に接触する。端面３７は、下方に向かうに従って次第に肩口側から後口側に向かって傾斜する傾斜面となっているので、ファスナーエレメント１４は、この傾斜面に案内されて更に傾倒する。
【００５２】
ここで、端面３７は、第２フランジ３２（即ち、第１フランジ２５ａ、２５ｂ）の上面より更に上方まで延設されているので、ファスナーエレメント１４の傾倒が十分でなく、立ち上がった姿勢となっていても、確実にファスナーエレメント１４と接触して傾倒させるように案内することができる。
【００５３】
第１フランジ２５ａ、２５ｂに接触した左右のファスナーエレメント１４は、第１フランジ２５ａ、２５ｂ、および傾斜する端面３７に案内されながら案内柱３１が配置されるスライダー２０の中央部に寄せられ、左右のファスナーエレメント１４を所定角度で傾倒させた状態で、エレメント案内通路４０へ滑らかに導く。
【００５４】
このとき、第１フランジ２５ａ、２５ｂおよび側壁部分２４ａ、２４ｂは、肩口から後口側に向けて一定の角度で連続して縮幅しているので、スライドファスナー１０の閉鎖時に強力な横引き力が加わっていても、スライダー２０を円滑に摺動操作することができる。
【００５５】
第１フランジ２５ａ、２５ｂを、後口側から肩口に向けて連続して拡幅した形状に成形する場合、従来のスライダーのように第２フランジを第１フランジと一体成型すると、金型の関係から第２フランジの幅を広くすることが困難であり、結果として肩口側における第１フランジ２５ａ、２５ｂと第２フランジ３２との隙間Ｓが広くなり、隠しスライドファスナー１０を閉鎖する際、この隙間Ｓにファスナーエレメント１４が噛み込まれてスライダー２０の摺動が困難となる虞がある。
【００５６】
しかし、本発明のスライダー２０は、第１フランジ２５ａ、２５ｂ（スライダー胴部２１）と、第２フランジ３２（スライダー上板部材２２）が別体として成形されるので、第２フランジ３２の形状を第１フランジ２５ａ，２５ｂに合わせて幅広く形成することができる。これにより、第１フランジ２５ａ、２５ｂと第２フランジ３２との隙間Ｓを一定として、ファスナーエレメント１４の噛み込みを防止することができる。
【００５７】
更にスライダー２０が噛合方向に引かれると、一対のファスナーエレメント１４は、更に傾倒して下翼板２３に対して略平行な状態でエレメント案内通路４０を後口方向に移動し、安定して噛合させることができる。
【００５８】
以上説明したように、本実施形態の隠しスライドファスナー１０によれば、スライダー２０が、スライダー胴部２１と、スライダー上板部材２２との２部品から構成されるので、第２フランジ３２の形状を金型による制約を受けることなく、理想的な形状に形成することができる。これにより、ファスナーテープ１２に対して略直角に立ち上がった姿勢のファスナーエレメント１４を、理想的な形状の第２フランジ３２で案内して適切に傾倒させながらエレメント案内通路４０に導入させ、更に後口側に向けて円滑に移動させながら噛合させることができ、スライドファスナー１０の閉鎖時に強力な横引き力が加わっても、スライダー２０を円滑に摺動操作することができる。
【００５９】
また、スライダー胴部２１に形成されたスライダー胴部側係合部Ａである張り出し部２６を、スライダー上板部材２２に形成されたスライダー上板部材側係合部Ｂであるアリ溝３４の肩口側の開口部３５に挿入した後、脚部３６を変形させて開口部３５を封鎖するようにしたので、スライダー胴部２１とスライダー上板部材２２とが確実に一体化することができる。
【００６０】
また、スライダー胴部側係合部Ａとスライダー上板部材側係合部Ｂとの係合は、スライダー上板部材２２をスライダー胴部２１の後口側から肩口側に向けて相対的に移動させることにより係合するようになっている。この係合方向は、一対のファスナーエレメント１４を噛合させるスライダー２０の摺動方向と同じである。また、スライダー上板部材側係合部Ｂに形成された当接壁３９は、図６、図７に見られるように、張り出し部２６の後口側端面と当接し、スライダー上板部材２２が係合後にさらに肩口側へ移動するのを規制している。例えば、自動車シートなどのような強い横引力が加わる場所に本発明の隠しスライドファスナーを使用した場合、スライダー２０を開閉する時よりも閉鎖する時のほうが、強い摺動抵抗が加わるが、このような構成にしておくことで、ファスナーエレメント１４を噛合させる際、スライダー上板部材２２に比較的大きな操作力が作用しても、スライダー胴部側係合部Ａとスライダー上板部材側係合部Ｂとの係合が解除されるのを防止することができる。
【００６１】
更に、第２フランジ３２の幅Ｗ１が、後口から肩口に向けて連続して増大するように形成されているので、ファスナーエレメント１４を、第２フランジ３２で案内しながら一定の力で引き込むことができ、スライドファスナー１０の閉鎖時に強力な横引き力が加わっても、スライダー２０を円滑に摺動操作することができる。
【００６２】
更にまた、左右の側壁部分２４ａ、２４ｂは、肩口側の内側面２４ｃ、２４ｄ間の幅Ｗ２が、後口側から肩口に向けて連続して増大するので、第２フランジ３２の外側面３２ａと側壁部分２４ａ，２４ｂの内側面２４ｃ、２４ｄとの隙間Ｓを略一定間隔にすることができ、これにより、ファスナーエレメント１４の該隙間Ｓへの噛み込みを防止してスライダー２０を円滑に摺動操作することができる。
【００６３】
また、左右方向中心線ＣＬから第２フランジ３２の最外端３２ｂまでの距離Ｌ２は、中心線ＣＬからスライダー胴部２１の後口側における内側面２４ｃ、２４ｄまでの距離Ｌ１に対して、０．８倍以上であるので、ファスナーエレメント１４を、第２フランジ３２で案内して一定の比較的弱い力で引き込むことができ、スライドファスナー１０の閉鎖時に強力な横引き力が加わっても、スライダー２０を円滑に摺動操作することができる。
【００６４】
更に、スライダー上板部材２２の肩口側の端面３７は、第１フランジ２５ａ、２５ｂの上面より上方まで延設され、且つ下方に向かうに従って次第に肩口側から後口側に向かって傾斜しているので、ファスナーエレメント１４を、端面３７の傾斜で案内して傾倒させながらエレメント案内通路４０に導入することができ、スライダー２０を円滑に摺動操作することができる。
【００６５】
（第２実施形態）
次に、第２実施形態のスライダーについて図１１〜図１２（ｂ）を参照して説明する。図１１は第２実施形態の隠しスライドファスナー用スライダーの分解斜視図、図１２（ａ）及び（ｂ）は組付け手順を示す断面図である。
【００６６】
図１１に示すように、第２実施形態のスライダー２０は、スライダー胴部２１とスライダー上板部材２２とからなり、スライダー胴部２１の下翼板２３には、スライダー胴部側係合部Ａとして、肩口側の左右方向中央部に嵌合孔４１が貫通して形成されている。また、スライダー上板部材２２の案内柱３１には、スライダー上板部材側係合部Ｂとして円柱状突起４２が下方に突出して成されている。また、嵌合孔４１の下面には、スライダー上板部材２２の円柱状突起４２ａの膨出部分を収納する嵌合凹部４１ａが形成される。
【００６７】
図１２（ａ）及び（ｂ）に示すように、スライダー上板部材２２の円柱状突起４２を、スライダー胴部２１の嵌合孔４１に圧入した後、円柱状突起４２の下端部をプレス装置などで押圧して押し潰して嵌合凹部４１ａ内に膨出部分を広げ、嵌合孔４１に加締めてスライダー上板部材２２をスライダー胴部２１に固定する。
【００６８】
このような本実施形態のスライダー２０によれば、スライダー胴部２１の形状が簡略化され、製造コストを削減することができる。
その他の構成及び作用については、第１実施形態のものと同様である。
なお、本実施形態では、嵌合孔４１、および円柱状突起４２の形状を楕円形として、スライダー上板部材２２がスライダー胴部２１に対して相対回転するのを防止しているが、嵌合孔４１、および円柱状突起４２を、それぞれ角孔、および角柱として相対回転を防止するようにしてもよい。
【００６９】
（第３実施形態）
次に、第３実施形態のスライダーについて図１３（ａ）及び（ｂ）を参照して説明する。図１３（ａ）は第３実施形態の隠しスライドファスナー用スライダーの分解斜視図であり、図１３（ｂ）は、組付け後の斜視図である。
【００７０】
図１３（ａ）及び（ｂ）に示すように、第３実施形態のスライダー２０は、第１実施形態のスライダーとは逆に、スライダー胴部側係合部Ａとして案内柱３１およびアリ溝３４がスライダー胴部２１に設けられ、スライダー上板部材側係合部Ｂとして、アリ溝３４に係合する逆Ｔ字型の張り出し部２６がスライダー上板部材２２に設けられている。アリ溝３４は、逆Ｔ字型溝であり、細幅溝部３４ｂが案内柱３１に形成されると共に、幅広溝部３４ｃが案内柱３１の下部と下翼板２３との間に袋溝として形成されている。また、アリ溝３４の開口部３５は、案内柱３１の肩口側に形成されている。
【００７１】
スライダー２０は、スライダー上板部材２２の張り出し部２６を、スライダー胴部２１のアリ溝３４に肩口側から圧入した後、案内柱３１の肩口側に形成された一対の脚部３６を塑性変形させて開口部３５を封鎖して、スライダー胴部２１とスライダー上板部材２２とを一体に組み付ける。
【００７２】
その他の構成及び作用については、第１実施形態のものと同様である。
なお、図示はしないが、第３実施形態で説明した開口部３５を肩口側に設けるのではなく、後口側に設け、アリ溝３４の開口部３５を閉鎖する当接壁３９を下翼板２３及びアリ溝３４を構成する側壁と一体に形成しても良い。このような構成とすることで、第１実施形態と同様、ファスナーテープ１２に強い横引力が加わったファスナーエレメント１４を噛み合わせる時でも、スライダー２０が壊れることはない。
【００７３】
（第４実施形態）
次に、第４実施形態のスライダーについて図１４（ａ）及び（ｂ）を参照して説明する。図１４（ａ）は第４実施形態の隠しスライドファスナー用スライダーの分解断面図であり、図１４（ｂ）は組付け後の断面図である。
【００７４】
図１４（ａ）及び（ｂ）に示すように、第４実施形態のスライダー２０は、第３実施形態の構成に加え、スライダー胴部２１とスライダー上板部材２２との抜け止めが、塑性変形される一対の脚部３６以外に、更に１カ所追加されている点で第３実施形態のスライダー２０と異なる。即ち、スライダー胴部２１には、下翼板２３の下面に係合凹部４５が形成され、スライダー上板部材２２には、張り出し部２６の肩口側下面から門型の係合アーム４６が後口に向かって延設されている。係合アーム４６の先端には、係合凹部４５に嵌合するフック部４７が設けられている。
【００７５】
第４実施形態のスライダー２０は、スライダー上板部材２２の張り出し部２６を、スライダー胴部２１のアリ溝３４に肩口側から圧入し、一対の脚部３６を塑性変形させて開口部３５を封鎖すると共に、係合アーム４６を塑性変形させてフック部４７を係合凹部４５に嵌合させて、スライダー胴部２１とスライダー上板部材２２とを一体に組み付ける。スライダー胴部２１とスライダー上板部材２２とは、塑性変形された一対の脚部３６、および係合凹部４５に嵌合するフック部４７の２カ所で、スライダー胴部２１からのスライダー上板部材２２の抜けが防止されている。
第４実施形態では、係合凹部４５に嵌合されるフック部４７は、係合後のスライダー上板部材２２がさらに肩口側へ移動するのを規制する当接壁３９の役割を果たす。
【００７６】
このような本実施形態のスライダー２０によれば、一対のファスナーストリンガー１１（ファスナーエレメント１４）を噛合させるスライダー２０の摺動方向と、スライダー胴部２１とスライダー上板部材２２の係合を解除させるスライダー上板部材２２の方向とが一致している場合であっても、確実にスライダー胴部２１とスライダー上板部材２２を係合させることができる。
その他の構成及び作用については、第３実施形態のものと同様である。
【００７７】
尚、本発明は、上記実施形態に限定されるものではなく、適宜、変形、改良等が可能である。
【００７８】
例えば、引手取付部の形状は、特に限定されるものではなく、適宜変更可能であり、例えば、図１５に示すように、引手取付部４８は、リング状に形成されたものであってもよい。
【００７９】
なお、図１５は、上述したように、張り出し部２６のリブ２８が凸部２８ａを有さずに、起立部２７から左右方向にだけ張り出した形状でもよいことを示している。
【００８０】
また、上記実施形態では、引手取付部３３はスライダー上板部材２２に取り付けられているが、図１６に示すように、引手取付部３３は、スライダー胴部２１の下翼板２３の肩口側下面から摺動方向に延設されてもよい。
【００８１】
さらに、上記実施形態においては、隠しスライドファスナーは、コイル状のエレメントがファスナーテープに縫い付けられた隠しスライドファスナーとして説明したが、これに限定されず、１つ１つのエレメントが独立してファスナーテープに取着された隠しスライドファスナーであってもよい。
【符号の説明】
【００８２】
１０      隠しスライドファスナー
１１      ファスナーストリンガー
１２      ファスナーテープ
１３      エレメント取付縁部（側縁部）
１４      ファスナーエレメント
２０      スライダー
２１      スライダー胴部
２２      スライダー上板部材
２３      下翼板
２４ａ          側壁部分
２４ｂ          側壁部分
２４ｃ          内側面
２４ｄ          内側面
２５ａ          第１フランジ
２５ｂ          第１フランジ
２６      張り出し部（スライダー胴部側係合部）
２７      起立部
２８      リブ
３１      案内柱
３２      第２フランジ
３２ｂ          最外端
３３      引手取付部
３４      アリ溝（スライダー上板部材側係合部）
３５      開口部
３６      脚部
３７      端面（傾斜面）
３８       引手
３９      当接壁
４８      引手取付部
Ａ         スライダー胴部側係合部
Ｂ         スライダー上板部材側係合部
ＣＬ      左右方向中心線
Ｌ１      中心線から側壁部分の内側面までの距離
Ｌ２      中心線から第２フランジの最外端までの距離
Ｗ１      第２フランジの幅
Ｗ２      側壁部分の内側面間の幅
【図１】
0005474073.tif 000002
【図２】
0005474073.tif 000003
【図３】
0005474073.tif 000004
【図４】
0005474073.tif 000005
【図５】
0005474073.tif 000006
【図６】
0005474073.tif 000007
【図７】
0005474073.tif 000008
【図８】
0005474073.tif 000009
【図９】
0005474073.tif 000010
【図１０】
0005474073.tif 000011
【図１１】
0005474073.tif 000012
【図１２】
0005474073.tif 000013
【図１３】
0005474073.tif 000014
【図１４】
0005474073.tif 000015
【図１５】
0005474073.tif 000016
【図１６】
0005474073.tif 000017